【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
レーザ光を出射する第１光源と、前記レーザ光を光入射側に入射して内視鏡挿入部先端へ伝送する光ファイバーと、該光ファイバーの光出射側に配置され前記レーザ光により励起発光する少なくとも１種の蛍光材料を含む波長変換部材と、を有し、前記レーザ光と前記波長変換部材からの励起発光光とを混合して前記内視鏡挿入部先端から白色光を出射する第１の照明光学系と、
前記内視鏡挿入部先端に配置され特定の可視波長帯域で発光するＬＥＤ素子からなる発光素子を備えた第２の照明光学系と、
を具備する内視鏡装置。
【請求項２】
請求項１記載の内視鏡装置であって、
前記第２の照明光学系が、それぞれ異なる中心波長で発光する複数の発光素子を備えた内視鏡装置。
【請求項３】
請求項１または請求項２記載の内視鏡装置であって、
前記第２の照明光学系が、少なくとも青色光を発光する発光素子を有する内視鏡装置。
【請求項４】
請求項１〜請求項３のいずれか１項記載の内視鏡装置であって、
前記第２の照明光学系が、少なくとも緑色光を発光する発光素子を有する内視鏡装置。
【請求項５】
請求項１〜請求項４のいずれか１項記載の内視鏡装置であって、
前記第２の照明光学系が、少なくとも赤色光乃至赤外光を発光する発光素子を有する内視鏡装置。
【請求項６】
請求項１〜請求項５のいずれか１項記載の内視鏡装置であって、
前記内視鏡挿入部先端に設けた観察窓を通して被観察部位からの光を受光して撮像信号を出力する撮像素子を含む撮像手段と、
前記第１の照明光学系による白色光と前記第２の照明光学系による特定の可視波長帯域の光とを切り換えて照明する照明光制御手段と、
を備えた内視鏡装置。
【請求項７】
請求項６記載の内視鏡装置であって、
前記第１の照明光学系による白色光の照明光下において撮像した撮像信号を保存する第１のメモリと、
前記第２の照明光学系による前記特定の可視波長帯域の光を含む照明光下において撮像した撮像信号を保存する第２のメモリと、
前記第１のメモリと前記第２のメモリに保存された各撮像信号をそれぞれ異なる表示領域に表示する撮像画像表示手段と、
を備えた内視鏡装置。
【請求項８】
請求項７記載の内視鏡装置であって、
前記照明光制御手段が、前記白色光の照明と、前記特定の可視波長帯域の光を含む照明とを、前記撮像素子による撮像フレーム毎に交互に切り換えることを特徴とする内視鏡装置。
【請求項９】
請求項６〜請求項８のいずれか１項記載の内視鏡装置であって、
前記撮像素子が特定検出色成分を検出するためのカラーフィルタを備えており、
前記発光素子が発光する前記特定の可視波長帯域の発光スペクトル曲線のピークの半値幅が、前記カラーフィルタの前記特定検出色を検出する波長帯域のスペクトル感度曲線のピークの半値幅より狭い波長幅にされた内視鏡装置。
【手続補正２】
【補正対象書類名】明細書
【補正対象項目名】発明の名称
【補正方法】変更
【補正の内容】
【発明の名称】内視鏡装置
【手続補正３】
【補正対象書類名】明細書
【補正対象項目名】０００１
【補正方法】変更
【補正の内容】
【０００１】
本発明は、内視鏡装置に関する。
【手続補正４】
【補正対象書類名】明細書
【補正対象項目名】０００５
【補正方法】変更
【補正の内容】
【０００５】
本発明は、このような状況に鑑みてなされたもので、内視鏡挿入部の細径化を図り、内
視鏡挿入部の先端に配置したＬＥＤ素子の発熱を抑えつつ、白色光と特定の狭い可視波長
帯域の光とを簡単な構成で選択的に照射して観察することができる内視鏡装置を提供することを目的とする。
【手続補正５】
【補正対象書類名】明細書
【補正対象項目名】０００６
【補正方法】変更
【補正の内容】
【０００６】
本発明は、下記構成からなる。
（１）  レーザ光を出射する第１光源と、前記レーザ光を光入射側に入射して内視鏡挿入部先端へ伝送する光ファイバーと、該光ファイバーの光出射側に配置され前記レーザ光により励起発光する少なくとも１種の蛍光材料を含む波長変換部材と、を有し、前記レーザ光と前記波長変換部材からの励起発光光とを混合して前記内視鏡挿入部先端から白色光を出射する第１の照明光学系と、
前記内視鏡挿入部先端に配置され特定の可視波長帯域で発光するＬＥＤ素子からなる発光素子を備えた第２の照明光学系と、
を具備する内視鏡装置。
【手続補正６】
【補正対象書類名】明細書
【補正対象項目名】０００７
【補正方法】変更
【補正の内容】
【０００７】
この内視鏡装置によれば、第１光源によるレーザ光を光ファイバーにより導光し、光ファイバーの出射端に配置した波長変換部材に照射して、波長変換部材を励起発光させることで、もともとの第１光源からのレーザ光と、励起発光光とにより白色光が生成されて、白色光照明用の光学系となる。また、特定の可視波長帯域で発光する発光素子を有する第２の照明光学系を備えたことで、白色光照明と、特定の可視波長帯域の光による照明とを簡素な構成で選択的に出射させることができる。
そして、レーザ光を用いて白色照明光を生成するため、高輝度な光が得られ、しかも光ファイバーにより導光するために内視鏡挿入部の細径化が図られる。
また、この内視鏡装置によれば、ＬＥＤ素子により高効率で高輝度の光が得られる。また、第１の照明光学系のレーザ光と併用することで、内視鏡挿入部先端からのＬＥＤ素子の光量を抑制でき、これにより、内視鏡挿入部先端の小型化と発熱の抑制が図られる。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】変更
【補正の内容】
【００１０】
（２）  （１）記載の内視鏡装置であって、
前記第２の照明光学系が、それぞれ異なる中心波長で発光する複数の発光素子を備えた内視鏡装置。
【手続補正１０】
【補正対象書類名】明細書
【補正対象項目名】００１２
【補正方法】変更
【補正の内容】
【００１２】
（３）  （１）または（２）記載の内視鏡装置であって、
前記第２の照明光学系が、少なくとも青色光を発光する発光素子を有する内視鏡装置。
【手続補正１１】
【補正対象書類名】明細書
【補正対象項目名】００１３
【補正方法】変更
【補正の内容】
【００１３】
この内視鏡装置によれば、青色光を出射させることで、分光診断における強調画像の生成が行える。
【手続補正１２】
【補正対象書類名】明細書
【補正対象項目名】００１４
【補正方法】変更
【補正の内容】
【００１４】
（４）  （１）〜（３）のいずれか１項記載の内視鏡装置であって、
前記第２の照明光学系が、少なくとも緑色光を発光する発光素子を有する内視鏡装置。
【手続補正１３】
【補正対象書類名】明細書
【補正対象項目名】００１５
【補正方法】変更
【補正の内容】
【００１５】
この内視鏡装置によれば、緑色光を出射させることで、分光診断における強調画像の生成が行える。
【手続補正１４】
【補正対象書類名】明細書
【補正対象項目名】００１６
【補正方法】変更
【補正の内容】
【００１６】
（５）  （１）〜（４）のいずれか１項記載の内視鏡装置であって、
前記第２の照明光学系が、少なくとも赤色光乃至赤外光を発光する発光素子を有する内視鏡装置。
【手続補正１５】
【補正対象書類名】明細書
【補正対象項目名】００１８
【補正方法】変更
【補正の内容】
【００１８】
（６）  （１）〜（５）のいずれか１項記載の内視鏡装置であって、
前記内視鏡挿入部先端に設けた観察窓を通して被観察部位からの光を受光して撮像信号を出力する撮像素子を含む撮像手段と、
前記第１の照明光学系による白色光と前記第２の照明光学系による特定の可視波長帯域の光とを切り換えて照明する照明光制御手段と、
を備えた内視鏡装置。
【手続補正１６】
【補正対象書類名】明細書
【補正対象項目名】００２０
【補正方法】変更
【補正の内容】
【００２０】
（７）  （６）記載の内視鏡装置であって、
前記第１の照明光学系による白色光の照明光下において撮像した撮像信号を保存する第１のメモリと、
前記第２の照明光学系による前記特定の可視波長帯域の光を含む照明光下において撮像した撮像信号を保存する第２のメモリと、
前記第１のメモリと前記第２のメモリに保存された各撮像信号をそれぞれ異なる表示領域に表示する撮像画像表示手段と、
を備えた内視鏡装置。
【手続補正１７】
【補正対象書類名】明細書
【補正対象項目名】００２２
【補正方法】変更
【補正の内容】
【００２２】
（８）  （７）記載の内視鏡装置であって、
前記照明光制御手段が、前記白色光の照明と、前記特定の可視波長帯域の光を含む照明とを、前記撮像素子による撮像フレーム毎に交互に切り換えることを特徴とする内視鏡装置。
【手続補正１８】
【補正対象書類名】明細書
【補正対象項目名】００２４
【補正方法】変更
【補正の内容】
【００２４】
（９）  （６）〜（８）のいずれか１項記載の内視鏡装置であって、
前記撮像素子が特定検出色成分を検出するためのカラーフィルタを備えており、
前記発光素子が発光する前記特定の可視波長帯域の発光スペクトル曲線のピークの半値幅が、前記カラーフィルタの前記特定検出色を検出する波長帯域のスペクトル感度曲線のピークの半値幅より狭い波長幅にされた内視鏡装置。
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】変更
【補正の内容】
【００３４】
本発明の内視鏡装置によれば、内視鏡挿入部の細径化を図り、内視鏡挿入部の先端に配置したＬＥＤ素子の発熱を抑えつつ、白色光と特定の狭い可視波長帯域の光とを簡単な構成で選択的に照射して観察することができる。
【手続補正２８】
【補正対象書類名】明細書
【補正対象項目名】００３５
【補正方法】変更
【補正の内容】
【００３５】
以下に、光源装置およびこれを用いた内視鏡装置の好適な実施の形態について、図面を参照して詳細に説明する。
図１に本実施形態の内視鏡装置の概念的な構成図を示した。
本実施形態の内視鏡装置１００は、主に、内視鏡１０、光源装置２０、画像処理装置３０、モニタ４０を備えて構成される。
内視鏡１０は、本体操作部１１と、この本体操作部１１に連設され、被検体（体腔）内に挿入される内視鏡挿入部１３とを備える。内視鏡挿入部１３の先端部には撮像光学系である撮像素子１５と撮像レンズ１７が配置され、また、撮像光学系の近傍には照明光学系の照明用光学部材１９とこれに接続される光ファイバー２１が配置されている。光ファイバー２１は詳細を後述する光源装置２０に接続され、撮像素子１５からの撮像信号は画像処理装置３０に入力される。
【手続補正２９】
【補正対象書類名】明細書
【補正対象項目名】００６９
【補正方法】変更
【補正の内容】
【００６９】
以上、各実施形態の内視鏡装置によれば、レーザ光と蛍光体の励起発光光とを含んで形成される白色光と、特定の狭い可視波長帯域の光とを、細径化を図りつつ簡単な構成で選択的に照射することができる。
なお、本光源装置およびこれを用いた内視鏡装置は、前述した各実施形態に限定されるものではなく、適宜、変形や改良等が可能である。
＜付記＞
（１）  上記の内視鏡装置を用い、それぞれ異なる特定の波長帯域光を検出した検出色画面を複数画面有して構成されるフレーム画像を、複数回にわたって撮像する一方、各フレーム画像の撮像タイミングに同期して複数種の光源からの光をそれぞれ異なる条件で照射する内視鏡装置の画像処理方法であって、
前記第１光源により被検体を照明したときの観察画像を第１フレーム画像、前記第２光源により被検体を照明したときの観察画像を第２フレーム画像として、前記第１フレーム画像と前記第２フレーム画像とを繰り返し撮像し、
前記第１フレーム画像の特定の検出色画面の輝度情報と、前記第２フレーム画像の特定の検出画面の輝度情報とを組み合わせて、前記光源装置からの特定の波長成分の光による観察画像を解析的に求めることを特徴とする内視鏡装置の画像処理方法。
この内視鏡装置の画像処理方法によれば、第１フレーム画像と第２フレーム画像の各検出色画面の情報を組み合わせることで、所望の波長成分の光による観察画像を選択的に抽出することができる。すなわち、１回の撮像によるフレーム画像から直接的に得られない特定の波長成分の光による観察画像を、時間軸前後のフレーム画像を用いることで解析的に求めることができる。
（２）  （１）記載の内視鏡装置の画像処理方法であって、
前記特定の波長成分の光による観察画像が、波長帯域幅の狭い出射光による観察画像を少なくとも含むことを特徴とする内視鏡装置の画像処理方法。
この内視鏡装置の画像処理方法によれば、狭波長帯域の光成分による観察画像を解析的に求められ、例えば血管や腺管構造の観察を行う際に、光の深達度が狭い範囲に限定されて、よりコントラストの高い画像を得ることができる。
（３）  （１）記載の内視鏡装置の画像処理方法であって、
前記特定の波長成分の光による観察画像が、波長帯域幅の広い出射光による観察画像を少なくとも含むことを特徴とする内視鏡の画像処理方法。
この内視鏡装置の画像処理方法によれば、広い波長帯域幅の光成分による観察画像を解析的に求められ、より演色性の高い白色照明下での画像を得ることができる。
（４）  （１）〜（３）のいずれか１項記載の内視鏡装置の画像処理方法であって、
前記特定の波長成分の光による観察画像を、それぞれ特定の色調に変換して疑似カラー画像を生成することを特徴とする内視鏡装置の画像処理方法。
この内視鏡装置の画像処理方法によれば、組織表面の毛細血管や腺管構造等を強調表示することができ、観察対象の確認を容易にし、診断精度を向上できる。